(57)【要約】【課題】近隣フレーム参照方式の圧縮動画コンテンツに可視マークＭｋを加工する際に、近隣フレームに影響を与えず、低い計算量で加工できるようにする。【解決手段】複数のフレームからなる圧縮動画コンテンツを加工するための可視マーク挿入装置が、入力された圧縮動画コンテンツが近接フレームからの参照を含む方式のとき、当該圧縮動画コンテンツの各フレームＩ，Ｐ，Ｂの型を読取り、読取った型に基づいて、各フレームＩ，Ｐ，Ｂのうち、他のフレームから参照されない型のフレームＢにのみ可視マークＭｋを挿入し、可視マークＭｋの挿入されたフレームＢを含む各フレームＩ，Ｐ，Ｂからなる圧縮動画コンテンツを出力する。【選択図】  図１
2004282402.tif 000002
【特許請求の範囲】
【請求項１】
複数のフレームからなる圧縮動画コンテンツを加工するためのコンテンツ加工装置であって、
入力された圧縮動画コンテンツが近接フレームからの参照を含む方式のとき、当該圧縮動画コンテンツの各フレームの型を読取るフレーム型読取手段と、
前記読取った型に基づいて、前記各フレームのうち、他のフレームから参照されない型のフレームにのみ追加情報を挿入する追加情報挿入手段と、
前記追加情報の挿入されたフレームを含む各フレームからなる圧縮動画コンテンツを出力する挿入結果出力手段と、
を備えたことを特徴とするコンテンツ加工装置。
【請求項２】
複数のフレームからなる圧縮動画コンテンツを加工するためのコンテンツ加工装置であって、
入力された圧縮動画コンテンツの各フレームのうち、他のフレームから参照されない型のフレームを抽出し、この型のフレームに関して追加情報が挿入済のフレームと前記追加情報が未挿入のフレームとを分類する追加情報分類手段と、
前記分類結果に基づいて、前記挿入済のフレームから追加情報を消去する追加情報消去手段と、
この追加情報を消去したフレームと前記未挿入のフレームとからなる圧縮動画コンテンツを出力する消去結果出力手段と、
を備えたことを特徴とするコンテンツ加工装置。
【請求項３】
複数のフレームからなる圧縮動画コンテンツを加工するためのコンテンツ加工装置に用いられるプログラムであって、
前記コンテンツ加工装置のコンピュータを、
入力された圧縮動画コンテンツが近接フレームからの参照を含む方式のとき、当該圧縮動画コンテンツの各フレームの型を読取るフレーム型読取手段、
前記読取った型に基づいて、前記各フレームのうち、他のフレームから参照されない型のフレームにのみ追加情報を挿入する追加情報挿入手段、
前記追加情報の挿入されたフレームを含む各フレームからなる圧縮動画コンテンツを出力する挿入結果出力手段、
として機能させるためのプログラム。
【請求項４】
請求項３に記載のプログラムにおいて、
前記コンテンツ加工装置のコンピュータを、
前記追加情報挿入手段によりフレームに追加情報を挿入したとき、この追加情報の挿入前のフレームを復元するための復元情報を出力する復元情報出力手段、
として機能させるためのプログラム。
【請求項５】
請求項３に記載のプログラムにおいて、
前記コンテンツ加工装置のコンピュータを、
前記追加情報挿入手段によりフレームに追加情報を挿入したとき、この追加情報の挿入前のフレームを復元するための復元情報を当該フレームのヘッダに挿入する復元情報挿入手段、
として機能させるためのプログラム。
【請求項６】
請求項３に記載のプログラムにおいて、
前記コンテンツ加工装置のコンピュータを、
前記追加情報挿入手段によりフレームに追加情報を挿入するとき、前記挿入の前のフレーム領域を可逆の変換規則に基づいて変換することにより、当該追加情報を挿入する可逆変換手段、
として機能させるためのプログラム。
【請求項７】
複数のフレームからなる圧縮動画コンテンツを加工するためのコンテンツ加工装置に用いられるプログラムであって、
前記コンテンツ加工装置のコンピュータを、
入力された圧縮動画コンテンツの各フレームのうち、他のフレームから参照されない型のフレームを抽出し、この型のフレームに関して追加情報が挿入済のフレームと前記追加情報が未挿入のフレームとを分類する追加情報分類手段、
前記分類結果に基づいて、前記挿入済のフレームから追加情報を消去する追加情報消去手段、
この追加情報を消去したフレームと前記未挿入のフレームとからなる圧縮動画コンテンツを出力する消去結果出力手段、
として機能させるためのプログラム。
【請求項８】
請求項７に記載のプログラムにおいて、
前記コンテンツ加工装置のコンピュータを、
前記追加情報消去手段は、前記フレームから追加情報を消去するとき、この追加情報の挿入前のフレームを復元するための復元情報を外部から読込む手順を含むことを特徴とするプログラム。
【請求項９】
請求項７に記載のプログラムにおいて、
前記追加情報消去手段は、前記フレームから追加情報を消去するとき、この追加情報の挿入前のフレームを復元するための復元情報を当該フレームのヘッダから読出す手順を含むことを特徴とするプログラム。
【請求項１０】
請求項７に記載のプログラムにおいて、
前記コンテンツ加工装置のコンピュータを、
前記追加情報消去手段は、前記フレームから追加情報を消去するとき、この追加情報を可逆の変換規則に基づいて変換することにより、当該追加情報の挿入前のフレーム領域を復元する手順を含むことを特徴とするプログラム。
【請求項１１】
請求項３乃至請求項１０のいずれか１項に記載のプログラムにおいて、
前記追加情報は、ＤＣＴ変換後のフレームにおける周波数帯データの直流成分をブロック単位で変更することにより挿入されることを特徴とするプログラム。
【請求項１２】
請求項１１に記載のプログラムにおいて、
前記周波数帯データは、輝度情報であることを特徴とするプログラム。
【請求項１３】
請求項１１に記載のプログラムにおいて、
前記周波数帯データは、色差情報であることを特徴とするプログラム。
【請求項１４】
請求項３乃至請求項１３のいずれか１項に記載のプログラムにおいて、
前記追加情報は、各フレーム毎に互いに異なる位置及び／又は形状を有することを特徴とするプログラム。
【発明の詳細な説明】
【０００１】
【発明の属する技術分野】
本発明は、圧縮動画コンテンツの加工処理に用いられるコンテンツ加工装置及びプログラムに関する。
【０００２】
【従来の技術】
近年、情報化社会の発展に伴い、動画コンテンツを取り扱う場面が増加している。このとき、再生される動画コンテンツに、可視マークと呼ばれる視覚可能な文字、記号又は絵などの情報を重ね合わせたい要望がある。
【０００３】
この要望を満たす観点から、動画コンテンツの各フレームに可視マークの重ね合わせ処理を行う方法が知られている（例えば、非特許文献１参照。）。
【０００４】
この種の重ね合わせ処理は、通常の動画コンテンツには圧縮処理が施されていることから、次の２通りの方法が用いられている。
【０００５】
第１の方法は、１つは圧縮動画コンテンツを非圧縮動画コンテンツに解凍処理し、重ね合わせ処理の後、圧縮処理を行う方式である。
【０００６】
第２の方法は、圧縮動画コンテンツを解凍処理せず、直接可視マークの重なる箇所だけに重ね合わせ処理を施す方式である。
【０００７】
【非特許文献１】
Ｊｏｎｇｈｏ  ＮＡＮＧ，  Ｓｅｕｎｇｗｏｏｋ  ＨＯＮＧ，  ａｎｄ  Ｏｈｙｅｏｎｇ  ＫＷＯＮ，  “Ａｎ  Ｅｆｆｉｃｉｅｎｔ  Ｃａｐｔｉｏｎ  Ｉｎｓｅｒｔｉｏｎ  Ｓｃｈｅｍｅ  ｆｏｒ  ＭＰＥＧ  Ｖｉｄｅｏ  ｉｎ  ＭＣ−ＤＣＴ  Ｃｏｍｐｒｅｓｓｅｄ  Ｄｏｍａｉｎ”，  ＩＥＩＣＥ  ＴＲＡＮＳ．  ＣＯＭＭＵＮ．，  ＶＯＬ．  Ｅ８４−Ｂ，  ＮＯ．８  ＡＵＧＵＳＴ  ２００１．
【０００８】
【発明が解決しようとする課題】
しかしながら、以上のような重ね合わせ処理は、第１及び第２の方法のいずれも問題がある。
例えば第１の方法は、解凍処理と圧縮処理に伴う計算量が圧縮フォーマットによっては膨大な量になる。
一方、第２の方法は、圧縮フォーマットが近隣フレームを参照する方式の場合、重ね合わせた箇所を参照している近隣フレームに影響が出る。この影響を防ぐため、近隣フレームに修正処理を施すと、計算量が多く発生してしまう。
【０００９】
本発明は上記実情を考慮してなされたもので、近隣フレーム参照方式の圧縮動画コンテンツに追加情報を加工する際に、近隣フレームに影響を与えず低い計算量で加工し得るコンテンツ加工装置及びプログラムを提供することを目的とする。
【００１０】
【課題を解決するための手段】
第１の発明は、複数のフレームからなる圧縮動画コンテンツを加工するためのコンテンツ加工装置であって、入力された圧縮動画コンテンツが近接フレームからの参照を含む方式のとき、当該圧縮動画コンテンツの各フレームの型を読取るフレーム型読取手段と、前記読取った型に基づいて、前記各フレームのうち、他のフレームから参照されない型のフレームにのみ追加情報を挿入する追加情報挿入手段と、前記追加情報の挿入されたフレームを含む各フレームからなる圧縮動画コンテンツを出力する挿入結果出力手段と、を備えたコンテンツ加工装置である。
【００１１】
このように、第１の発明は、近隣フレーム参照方式の圧縮動画コンテンツに追加情報を挿入加工する際に、他のフレームから参照されない型のフレームにのみ追加情報を挿入するので、近隣フレームに影響を与えず、低い計算量で挿入加工することができる。
【００１２】
第２の発明は、複数のフレームからなる圧縮動画コンテンツを加工するためのコンテンツ加工装置であって、入力された圧縮動画コンテンツの各フレームのうち、他のフレームから参照されない型のフレームを抽出し、この型のフレームに関して追加情報が挿入済のフレームと前記追加情報が未挿入のフレームとを分類する追加情報分類手段と、前記分類結果に基づいて、前記挿入済のフレームから追加情報を消去する追加情報消去手段と、この追加情報を消去したフレームと前記未挿入のフレームとからなる圧縮動画コンテンツを出力する消去結果出力手段と、を備えたコンテンツ加工装置である。
【００１３】
このように、第２の発明は、近隣フレーム参照方式の圧縮動画コンテンツに追加情報を消去加工する際に、他のフレームから参照されない型のフレームのうち、追加情報が挿入済のフレームからのみ追加情報を消去するので、近隣フレームに影響を与えず、低い計算量で消去加工することができる。
【００１４】
第１及び第２の発明は、名称を「装置」として表現した場合を説明したが、これに限らず、名称を「システム」、「方法」、「コンピュータ読取り可能な記憶媒体」又は「プログラム」等として表現しても良いことは言うまでもない。
【００１５】
【発明の実施の形態】
以下、本発明の各実施形態について図面を参照して説明するが、その前に本発明の概要を述べる。
図１５は一般的な動画圧縮技術の一種である隣接フレーム参照技術を説明するための模式図であり、ここでは、ＭＰＥＧ２を例に挙げている。非圧縮状態の動画コンテンツは、フレームと呼ばれる静止画を複数有し、ある時間毎にそのフレームを表示する。そのフレーム間には多くの場合、強い相関関係が存在する。
【００１６】
ここで、隣接フレーム参照技術とは、相関関係のあるフレームを参照し、フレームのデータ量の削減を図る技術である。図１５でいうと、フレームＩは一つの完結したフレームになっている。他のフレームＢ１〜Ｂ４，Ｐ１，Ｐ２，…は、フレームＩ又はそれによって参照してできるフレームＢ１，Ｐ１，Ｂ３，Ｐ２，…を参照する。
【００１７】
圧縮動画コンテンツが隣接フレーム参照技術により圧縮されている場合、各フレームは、参照しないが参照されるものと、参照して参照されるものと、参照するが参照されないものとの３種類がある。
【００１８】
ＭＰＥＧ２の場合、フレームＩが「参照しないが参照されるもの」に該当し、フレームＰが「参照して参照されるもの」に該当し、フレームＢが「参照するが参照されないもの」に該当する。なお、フレームＩは、Ｉピクチャ（Ｉｎｔｒａ−ｃｏｄｅｄ  ｐｉｃｔｕｒｅ）と呼ばれ、フレームＰ１，Ｐ２は、Ｐピクチャ（Ｐｒｅｄｉｃｔｉｖｅ−ｃｏｄｅｄ  ｐｉｃｔｕｒｅ）と呼ばれ、フレームＢ１〜Ｂ４は、Ｂピクチャ（Ｂｉｄｉｒｅｃｔｉｏｎａｌｌｙ  ｐｒｅｄｉｃｔｉｖｅ−ｃｏｄｅｄ  ｐｉｃｔｕｒｅ）と呼ばれる。
【００１９】
図１は本発明の各実施形態に係るコンテンツ加工を説明するための模式図である。従来技術では、参照されるフレームＩに可視マークを挿入した場合、フレームＩを直接参照するフレームＢ１、Ｂ２、Ｐ１に可視マークの影響が発生し、さらにそのフレームＰ１を参照するフレームＢ１〜Ｂ４，Ｐ２にも可視マークの影響が発生し、またさらにそのフレームＰ２を参照するフレームＢ３，Ｂ４にも可視マークの影響が発生する。
【００２０】
また、従来技術は、この影響を無くすために、可視マークの影響を防ぐ処理を直接の参照フレームＩ、Ｂ１，Ｂ３に施す必要があるので、計算量を増加させる問題がある。
【００２１】
一方、本発明の各実施形態では、計算量を低減させるために、各フレームのうち、参照されていないフレームＢ（Ｂピクチャ）にのみ可視マークを挿入する。図１ではフレームＢ１〜Ｂ４についてのみ可視マークＭｋを挿入している。これにより、他のフレームＢ１〜Ｂ４，Ｐ１，Ｐ２への影響を防ぐ必要が無くなるので、計算量を低減させることができる。
以上のような本発明の概要を踏まえ、以下に各実施形態を説明する。
【００２２】
（第１の実施形態）
図２は本発明の第１の実施形態に係るコンテンツ加工装置が適用された可視マーク挿入装置の構成を示す模式図である。この可視マーク挿入装置１０は、読取器１１、マーク挿入器１２、データ出力器１３及び差分出力器１４を備えている。なお、このような可視マーク挿入装置１０は、ハードウェア構成のみ、又はハードウェアとソフトウェアとの組合せ構成により実現可能であるが、ソフトウェアにより構成される部分は、対応する機能を実現させるためのプログラムが予め記憶媒体又はネットワークから可視マーク挿入装置１０のコンピュータにインストールされて実現される。このような構成は、以下の各実施形態の可視マーク挿入装置及び可視マーク消去装置でも同様である。
【００２３】
読取器１１は、入力された圧縮動画コンテンツが近接フレームからの参照を含む方式のとき、当該圧縮動画コンテンツの各フレームの型を読取る機能と、読取った形に基づいて、各フレームのうち、他のフレームから参照される型（Ｉピクチャ及びＰピクチャ）のフレームをデータ出力器１３に送出する機能と、他のフレームから参照されない型のフレームをマーク挿入器１２に送出する機能と、をもっている。なお、圧縮動画コンテンツの方式は、当該圧縮動画コンテンツのヘッダ情報から読取っても良く、予め指定されていてもよく、又は予め前提となっていてもよい。
【００２４】
マーク挿入器１２は、読取器１１から送出されたフレームに可視マーク（追加情報）Ｍｋを挿入し、この可視マークを含むフレームをデータ出力器１３に送出する機能と、可視マークＭｋを消去して元のフレームを復元するためのマーク差分情報（復元情報）を差分出力器１４に送出する機能と、をもっている。
【００２５】
ここで、可視マークＭｋは、視認できる追加情報の一例である。追加情報は、マークに限らず、文字、記号、キャラクター又はそれらの組合せ等の任意の情報が使用可能となっている。
【００２６】
マーク差分情報は、可視マークＭｋを消去して元のフレームを復元するための復元情報の一例である。復元情報は、可視マークと元のフレームとの差分情報に限らず、元のフレームの情報自体としてもよい。
【００２７】
データ出力器１３は、読取器１１から送出されたフレームとマーク挿入器１２から送出されたフレームとをつなぎ合わせて圧縮動画コンテンツを再構成し、この圧縮動画コンテンツを出力する機能をもっている。
【００２８】
差分出力器１４は、マーク挿入器１２から出力されたマーク差分情報を出力する機能をもっている。
【００２９】
次に、以上のように構成された可視マーク挿入装置の動作を説明する。
読取器１１は、入力された圧縮動画コンテンツが近接フレームからの参照を含む方式のとき、当該圧縮動画コンテンツの各フレームの型を読取る。
【００３０】
次に、読取器１１は、読取った形に基づいて、各フレームＩ，Ｂ，Ｐのうち、他のフレームから参照される型のフレームＩ，Ｐをデータ出力器１３に送出し、他のフレームから参照されない型のフレームＢをマーク挿入器１２に送出する。
【００３１】
マーク挿入器１２は、このフレームＢに可視マークＭｋを挿入し、可視マークを含むフレームＢをデータ出力器１３に送出する。また、マーク挿入器１２は、元のフレームＢを復元するためのマーク差分情報を差分出力器１４に送出する。
【００３２】
データ出力器１３は、読取器１１から送出されたフレームＩ，Ｐとマーク挿入器１２から送出されたフレームＢとからなる圧縮動画コンテンツを出力する。また、差分出力器１４は、マーク差分情報を出力する。
【００３３】
上述したように本実施形態によれば、近隣フレーム参照方式の圧縮動画コンテンツに可視マークＭｋを挿入加工する際に、他のフレームから参照されない型のフレームにのみ可視マークＭｋを挿入するので、近隣フレームに影響を与えず、低い計算量で挿入加工することができる。
【００３４】
なお、本実施形態は、圧縮動画コンテンツの再生時に、可視マークＭｋの挿入されたフレームＢと挿入されていないフレームＩ，Ｐが存在するため、可視マークＭｋがちらついて見える可能性がある。このちらつき度合いは全体のフレーム数における可視マーク挿入フレーム数の割合に依存する。このため、ちらつきを防止する観点から、可視マーク挿入フレームの割合を高めることが好ましい。
【００３５】
（第２の実施形態）
図３は本発明の第２の実施形態に係るコンテンツ加工装置が適用された可視マーク消去装置の構成を示す模式図である。この可視マーク消去装置２０は、読取器２１、マーク消去器２２、データ出力器２３を備えている。
【００３６】
ここで、読取器２１は、入力された圧縮動画コンテンツの各フレームのうち、他のフレームから参照されない型のフレームを抽出し、この型のフレームに関して可視マークＭｋが挿入済のフレームと可視マークＭｋが未挿入のフレームとを分類する機能と、分類結果に基づいて、可視マークＭｋが未挿入のフレームをデータ出力器２３に送出する機能と、可視マークＭｋが挿入済のフレームをマーク消去器２２に送出する機能とをもっている。
【００３７】
マーク消去器２２は、入力されたマーク差分情報に基づいて、読取器２１から送出されたフレームから可視マークＭｋを消去し、元のフレームを復元する機能と、復元されたフレームをデータ出力器２３に送出する機能とをもっている。なお、以下の各実施形態も同様に、可視マークＭｋの消去は元のフレームの復元を意味している。
データ出力器２３は、読取器２１から受けたフレームとマーク消去器２２から受けたフレームとから圧縮動画コンテンツを再構成し、得られた圧縮動画コンテンツを出力する機能をもっている。
【００３８】
次に、以上のように構成された可視マーク消去装置の動作を説明する。
読取器２１は、入力された圧縮動画コンテンツの各フレームのうち、他のフレームから参照されない型のフレームを抽出し、この型のフレームに関して可視マークＭｋが挿入済のフレームと可視マークＭｋが未挿入のフレームとを分類する。
【００３９】
続いて、読取器２１は、分類結果に基づいて、可視マークＭｋが未挿入のフレームをデータ出力器２３に送出し、可視マークＭｋが挿入済のフレームをマーク消去器２２に送出する。
【００４０】
マーク消去器２２は、別途入力されたマーク差分情報に基づいて、読取器２１から送出されたフレームから可視マークＭｋを消去し、元のフレームを復元する。そして、マーク消去器２２は、復元されたフレームをデータ出力器２３に送出する。
【００４１】
データ出力器２３は、読取器２１から受けたフレームとマーク消去器２２から受けたフレームとから圧縮動画コンテンツを再構成し、得られた圧縮動画コンテンツを出力する。
【００４２】
上述したように本実施形態によれば、近隣フレーム参照方式の圧縮動画コンテンツに可視マークＭｋを消去加工する際に、他のフレームから参照されない型のフレームのうち、可視マークＭｋが挿入済のフレームからのみ可視マークＭｋを消去するので、近隣フレームに影響を与えず、低い計算量で消去加工することができる。
【００４３】
（第３の実施形態）
次に、本発明の第３の実施形態について説明する。第３の実施形態は、図４に示すように、フレームＢに可視マークＭｋを挿入したとき、この可視マークＭｋの挿入前のフレームＢを復元するためのマーク差分情報Ｄｍを当該フレームのヘッダＨに挿入する手順を含むものである。具体的には、図５に示す可視マーク挿入装置１０ａを備えている。なお、図５において、前述した図面と同一部分には同一符号を付し、変更した部分にはアルファベットの添字を付して、重複した説明を省略する。なお、以下の各実施形態も同様にして重複した説明を省略する。
【００４４】
ここで、可視マーク挿入装置１０ａは、読取器１１ａ、マーク挿入器１２ａ、データ出力部１３ａ及びヘッダ加工部１５を備えている。
【００４５】
読取器１１ａは、前述した機能に加え、圧縮動画コンテンツのヘッダ情報をヘッダ加工部１５に送出する機能をもっている。
【００４６】
マーク挿入器１２ａは、前述した機能のうち、マーク差分情報の出力先が差分情報出力器１４に代えて、ヘッダ加工部１５になっている。
【００４７】
データ出力部１３ａは、前述した機能に加え、ヘッダ加工部１５から送出されたヘッダ情報を用いて、圧縮動画コンテンツの再構成を行なう機能をもっている。
【００４８】
ヘッダ加工部１５は、マーク挿入器１２ａから受けたマーク差分情報Ｄｍを、読取器１１ａから受けたヘッダ情報に挿入し、得られたヘッダ情報をデータ出力部１３ａに送出する機能をもっている。
【００４９】
以上のような構成によれば、第１の実施形態の作用効果に加え、圧縮動画コンテンツのヘッダ情報がマーク差分情報Ｄｋを含むことにより、圧縮動画コンテンツとは別にマーク差分情報Ｄｋを管理する必要が無くなるので、利便性を向上することができる。
【００５０】
（第４の実施形態）
図６は本発明の第４の実施形態に係る可視マーク消去装置の構成を示す模式図である。この可視マーク消去装置２０ａは、第３の実施形態と同様に、マーク差分情報Ｄｍがヘッダ情報に含まれる場合の例であって、前述したマーク消去器２２ａに代えて、ヘッダ解析・マーク消去器２２ａを備えている。
【００５１】
ここで、ヘッダ解析・マーク消去器２２ａは、前述した機能に加え、読取器１１ａから送出されたフレームＢから可視マークＮｋを消去するとき、この可視マークＭｋの挿入前のフレームＢを復元するためのマーク差分情報Ｄｍを当該フレームのヘッダ情報Ｈから読出す機能をもっている。
【００５２】
以上のような構成によれば、第２の実施形態のマーク消去の作用効果に加え、圧縮動画コンテンツのヘッダ情報がマーク差分情報Ｄｋを含むことにより、圧縮動画コンテンツとは別にマーク差分情報Ｄｋを管理する必要が無くなるので、利便性を向上することができる。
【００５３】
（第５の実施形態）
図７は本発明の第５の実施形態に係る可視マーク挿入装置の構成を示す模式図である。この可視マーク挿入装置１０ｂは、圧縮動画コンテンツをＤＣＴ（Ｄｉｓｃｒｅｔｅ  Ｃｏｓｉｎｅ  Ｔｒａｎｓｆｏｒｍ  離散コサイン変換）方式で圧縮する機能を有するものであり、ＤＣＴ符号器（ＤＣＴエンコーダ）３１を前段に備え、このＤＣＴ符号器３１よりも後段に、前述の機器１１〜１４をＤＣＴ方式に対応させた読取器１１ｂ、マーク挿入器１２ｂ、データ出力器１３ｂ及び差分出力器１４ｂを備えている。
【００５４】
なお、入力される圧縮動画コンテンツが予めＤＣＴ方式で圧縮されたものである場合、ＤＣＴ符号器３１は省略される。
【００５５】
ここで、ＤＣＴ符号器３１は、入力された圧縮動画コンテンツをＤＣＴ方式で圧縮し、得られた圧縮動画コンテンツを読取器１１ｂに送出するものである。
【００５６】
読取器１１ｂ、マーク挿入器１２ｂ、データ出力器１３ｂ及び差分出力器１４ｂは、各々前述した機能をＤＣＴ方式の圧縮動画コンテンツに対して施すものである。
【００５７】
ここで、マーク挿入器１２ｂは、可視マークＭｋを挿入する際に、ＤＣＴ変換後のフレームにおける周波数帯データの直流成分をブロック単位で変更することにより、可視マークＭｋを挿入する機能をもっている。
【００５８】
なお、ブロック単位で変更される周波数帯データ（の直流成分）は、輝度情報又は色差情報のいずれでもよい。輝度情報を変更した場合、白／黒の塗りつぶしたブロックが可視マークＭｋの形状に並ぶことにより可視マークＭｋが形成される。また、色差情報を変更した場合、薄く画像が残った状態のブロックが可視マークＭｋの形状に並ぶことにより可視マークＭｋが形成される。
【００５９】
いずれにしても以上のような構成によれば、ＤＣＴ方式による圧縮を用いた圧縮動画コンテンツに関しても、第１の実施形態の作用効果を得ることができる。
【００６０】
（第６の実施形態）
図８は本発明の第６の実施形態に係る可視マーク消去装置の構成を示す模式図である。この可視マーク消去装置２０ｂは、圧縮動画コンテンツをＤＣＴ方式で圧縮する機能を有するものであり、前述の機器２１〜２３をＤＣＴ方式に対応させた読取器２１ｂ、マーク消去器２２ｂ及びデータ出力器２３ｂを備え、このデータ出力器２３ｂの後段に、ＤＣＴ復号器（ＤＣＴデコーダ）３２を備えている。なお、出力される圧縮動画コンテンツがＤＣＴ方式で圧縮されたものである場合、ＤＣＴ復号器３２は省略される。
【００６１】
ここで、読取器２１ｂ、マーク消去器２２ｂ及びデータ出力器２３ｂは、各々前述した機能をＤＣＴ方式の圧縮動画コンテンツに対して施すものである。
【００６２】
ここで、マーク挿入器２２ｂは、可視マークＭｋを消去する際に、ＤＣＴ変換後のフレームにおける周波数帯データの直流成分をマーク差分情報Ｄｍに基づいてブロック単位で変更することにより、可視マークＭｋを消去する機能をもっている。なお、ブロック単位で変更される周波数帯データ（の直流成分）は、輝度情報又は色差情報のいずれでもよい。輝度情報を変更する場合、白／黒の塗りつぶしたブロックが可視マークＭｋの形状に並んで形成された可視マークＭｋを消去する。また、色差情報を変更する場合、薄く画像が残った状態のブロックが可視マークＭｋの形状に並んで形成された可視マークＭｋを消去する。
【００６３】
ＤＣＴ復号器３２は、データ出力器２３ｂから出力されたＤＣＴ方式の圧縮動画コンテンツを復号し、得られた圧縮動画コンテンツを出力するものである。
【００６４】
以上のような構成によれば、ＤＣＴ方式による圧縮を用いた圧縮動画コンテンツに関しても、第２の実施形態の作用効果を得ることができる。
【００６５】
（第７の実施形態）
図９は本発明の第７の実施形態に係る可視マーク挿入装置の構成を示す模式図である。本実施形態は、第３及び第５の実施形態を組合せた例であり、図示するように、ＤＣＴ方式の圧縮動画コンテンツに対応するＤＣＴ符号器３１と、マーク差分情報Ｄｍをヘッダ情報Ｈに挿入するためのヘッダ加工部１５ｂとを備えている。
以上のような構成によれば、第３及び第５の実施形態の作用効果を同時に得ることができる。
【００６６】
（第８の実施形態）
図１０は本発明の第８の実施形態に係る可視マーク消去装置の構成を示す模式図である。本実施形態は、第４及び第６の実施形態を組合せた例であり、図示するように、ＤＣＴ方式の圧縮動画コンテンツに対応するＤＣＴ復号器３２と、ヘッダ情報Ｈからマーク差分情報Ｄｍを取出して可視マークＭｋを消去するためのヘッダ解析・マーク消去器２２ａｂとを備えている。
以上のような構成によれば、第４及び第６の実施形態の作用効果を同時に得ることができる。
【００６７】
（第９の実施形態）
図１１は本発明の第９の実施形態に係る可視マーク挿入装置の構成を示す模式図である。本実施形態は、第１の実施形態の変形例であり、図示するようにマーク差分情報を出力するマーク挿入器１２に代えて、マーク差分情報を用いないマーク挿入器１２ｃを備えている。
【００６８】
ここで、マーク挿入器１２ｃは、読取器１１から送出されたフレームに可視マーク（追加情報）Ｍｋを挿入し、この可視マークを含むフレームをデータ出力器１３に送出する機能と、フレームに可視マークＭｋを挿入するとき、この挿入前のフレーム領域を可逆の変換規則に基づいて変換することにより、当該可視マークＭｋを挿入する機能とをもっている。
【００６９】
可逆の変換規則の簡単な具体例としては、予め定めていた領域の画像情報Ｖｄに対して、次式のように算術的な変換を加えることにより、可視マークＭｋを挿入する。
【００７０】
Ｖｄ→Ｖｄ＋α  （α＞０）
なお、逆変換（可視マークＭｋの消去）を行なう場合は、次式のように、挿入式の逆演算により元のフレームを復元することが可能である。
Ｖｄ→Ｖｄ−α  （α＞０）
なお、このような変換規則は、以下の各実施形態にも適用可能である。
以上のような構成によれば、第１の実施形態の作用効果に加え、マーク差分情報の出力や管理が不要となるので、利便性を向上させることができる。
【００７１】
（第１０の実施形態）
図１２は本発明の第１０の実施形態に係る可視マーク消去装置の構成を示す模式図である。本実施形態は、第２の実施形態の変形例であり、図示するようにマーク差分情報を読み込むマーク消去器２２に代えて、マーク差分情報を用いないマーク消去器２２ｃを備えている。
【００７２】
ここで、マーク消去器２２ｃは、読取器２１から送出されたフレームから可視マークＭｋを消去するとき、この可視マークＭｋを可逆の変換規則に基づいて変換することにより、当該可視マークＭｋの挿入前のフレームを復元する機能と、復元されたフレームをデータ出力器２３に送出する機能とをもっている。
【００７３】
以上のような構成によれば、第２の実施形態の作用効果に加え、マーク差分情報の読込みや管理が不要となるので、利便性を向上させることができる。
【００７４】
（第１１の実施形態）
図１３は本発明の第１１の実施形態に係る可視マーク挿入装置の構成を示す模式図である。本実施形態は、第５及び第９の実施形態を組合せた例であり、図示するように、ＤＣＴ方式の圧縮動画コンテンツに対応する可視マーク挿入装置１０ｂｃにおいて、可逆の変換規則に基づいて可視マークＭｋを挿入するマーク挿入器１２ｂｃを備えている。
【００７５】
可逆の変換規則の簡単な具体例としては、予め定めていた特定のＤＣＴブロックの直流成分Ｖｄに対して、次式のように算術的な変換を加えることにより、可視マークＭｋを挿入する。
Ｖｄ→Ｖｄ＋α  （α＞０）
なお、逆変換（可視マークＭｋの消去）を行なう場合は、次式のように、挿入式の逆演算により元のフレームを復元することが可能である。
Ｖｄ→Ｖｄ−α  （α＞０）
ここでは、直流成分Ｖｄにのみ適応したが、他の成分も同様の方法で復元情報無しの可逆変換を行なうことが可能となる。このような変換規則は、以下の各実施形態にも適用可能である。
【００７６】
以上のような構成によれば、第５の実施形態の作用効果に加え、マーク差分情報の出力や管理が不要となるので、利便性を向上させることができる。
【００７７】
（第１２の実施形態）
図１４は本発明の第１２の実施形態に係る可視マーク挿入装置の構成を示す模式図である。本実施形態は、第６及び第１０の実施形態を組合せた例であり、図示するように、ＤＣＴ方式の圧縮動画コンテンツに対応する可視マーク消去装置２０ｂｃにおいて、可逆の変換規則に基づいて可視マークＭｋを消去して元のフレームを復元するマーク消去器２２ｂｃを備えている。
【００７８】
以上のような構成によれば、第６の実施形態の作用効果に加え、マーク差分情報の出力や管理が不要となるので、利便性を向上させることができる。
【００７９】
（第１３の実施形態）
次に、本発明の第１３の実施形態について説明する。
本実施形態は、第１〜第１２の実施形態の各々の変形例であり、具体的には、可視マークＭｋが、各フレーム毎に互いに異なる位置及び／又は形状を有するように挿入された例である。
【００８０】
以上のような構成によれば、第１、第３、第５、第７、第９、第１１の実施形態の各々の作用効果に加え、可視マークＭｋを動画として挿入することができる。また同様に、第２、第４、第６、第８、第１０、第１２の実施形態の各々の作用効果に加え、動画として挿入された可視マークＭｋを消去することができる。
【００８１】
なお、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００８２】
また、この記憶媒体としては、プログラムを記憶でき、かつコンピュータが読み取り可能な記憶媒体であれば、その記憶形式は何れの形態であっても良い。
【００８３】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００８４】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００８５】
また、記憶媒体は１つに限らず、複数の媒体から本実施形態における処理が実行される場合も本発明における記憶媒体に含まれ、媒体構成は何れの構成であっても良い。
【００８６】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００８７】
また、本発明におけるコンピュータとは、パソコンに限らず、情報処理機器に含まれる演算処理装置、マイコン等も含み、プログラムによって本発明の機能を実現することが可能な機器、装置を総称している。
【００８８】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合、組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００８９】
その他、本発明はその要旨を逸脱しない範囲で種々変形して実施できる。
【００９０】
【発明の効果】
以上説明したように本発明によれば、近隣フレーム参照方式の圧縮動画コンテンツに追加情報を加工する際に、近隣フレームに影響を与えず、低い計算量で加工することができる。
【図面の簡単な説明】
【図１】本発明の各実施形態に係るコンテンツ加工を説明するための模式図である。
【図２】本発明の第１の実施形態に係るコンテンツ加工装置が適用された可視マーク挿入装置の構成を示す模式図である。
【図３】本発明の第２の実施形態に係るコンテンツ加工装置が適用された可視マーク消去装置の構成を示す模式図である。
【図４】本発明の第３の実施形態に係るコンテンツ加工を説明するための模式図である。
【図５】同実施形態における可視マーク挿入装置の構成を示す模式図である。
【図６】本発明の第４の実施形態に係る可視マーク消去装置の構成を示す模式図である。
【図７】本発明の第５の実施形態に係る可視マーク挿入装置の構成を示す模式図である。
【図８】本発明の第６の実施形態に係る可視マーク消去装置の構成を示す模式図である。
【図９】本発明の第７の実施形態に係る可視マーク挿入装置の構成を示す模式図である。
【図１０】本発明の第８の実施形態に係る可視マーク消去装置の構成を示す模式図である。
【図１１】本発明の第９の実施形態に係る可視マーク挿入装置の構成を示す模式図である。
【図１２】本発明の第１０の実施形態に係る可視マーク消去装置の構成を示す模式図である。
【図１３】本発明の第１１の実施形態に係る可視マーク挿入装置の構成を示す模式図である。
【図１４】本発明の第１２の実施形態に係る可視マーク消去装置の構成を示す模式図である。
【図１５】一般的な隣接フレーム参照技術を説明するための模式図である。
【符号の説明】
Ｐ，Ｐ１，Ｐ２，Ｂ１〜Ｂ４…フレーム、Ｍｋ…可視マーク、Ｄｍ…マーク差分情報、Ｈ…ヘッダ情報、１０，１０ａ，１０ｂ，１０ａｂ，１０ｂｃ…可視マーク挿入装置、１１，１１ａ，１１ｂ，１１ａｂ，２１，２１ｂ…読取器、１２，１２ａ，１２ａｂ，１２ｂ，１２ｂｃ…マーク挿入器、１３，１３ａ，１３ｂ，１３ａｂ，２３，２３ｂ…データ出力器、１４，１４ｂ…差分出力器、１５，１５ｂ…ヘッダ加工部、２０，２０ａ，２０ｂ，２０ｂｃ…可視マーク消去装置、２２，２２ａｂ，２２ｂ，２２ｂｃ…マーク消去器、２２ａ…ヘッダ解析・マーク消去器、３１…ＤＣＴ符号器、３２…ＤＣＴ復号器。
【図１】
2004282402.tif 000003
【図２】
2004282402.tif 000004
【図３】
2004282402.tif 000005
【図４】
2004282402.tif 000006
【図５】
2004282402.tif 000007
【図６】
2004282402.tif 000008
【図７】
2004282402.tif 000009
【図８】
2004282402.tif 000010
【図９】
2004282402.tif 000011
【図１０】
2004282402.tif 000012
【図１１】
2004282402.tif 000013
【図１２】
2004282402.tif 000014
【図１３】
2004282402.tif 000015
【図１４】
2004282402.tif 000016
【図１５】
2004282402.tif 000017